(57)【特許請求の範囲】
【請求項１】
空調機本体内に熱交換器を設け、その空調機本体の吸込側と吹出側のダクトを室内に接続すると共にダクトに循環ファンを接続した空調機の洗浄殺菌装置において、吸込側と吹出側のダクトにダンパを設け、熱交換器に低濃度のオゾン水を噴射するスプレーノズルを設け、その熱交換器の下流側の空調機本体内に、臭センサを設け、循環ファン停止後ダンパが閉じられ、上記臭センサの検出値でスプレーノズルからオゾン水が噴射された後、スプレーノズルからオゾンガスが噴射されて空調機本体がオゾンガス燻蒸されることを特徴とする空調機の洗浄殺菌装置。
【発明の詳細な説明】
【０００１】
【産業上の利用分野】
本発明は、空調機の熱交換器などに付着する微生物を洗浄殺菌するための空調機の洗浄殺菌装置に関するものである。
【０００２】
【従来の技術】
空調機の冷房運転時には、熱交換器内に冷水を流し、熱交換器と室内空気とを熱交換するが、冷房運転終了時、ファンが停止され、熱交換器で生じた凝縮水がそのまま残り、高湿度雰囲気となるため、グラム陰性菌などの微生物が繁殖しやすい。
【０００３】
このように空調機内に微生物が繁殖すると、空調運転時に微生物が循環空気にのって空調室内に伝搬する問題がある。
【０００４】
従来この空調機の微生物殺菌方法としては、オゾンガス、薬剤、ＵＶランプ、加熱など種々の方法が提案されている。
【０００５】
【発明が解決しようとする課題】
しかしながら、これら殺菌方法は、熱交換器に付着した微生物を殺菌できても、殺菌後の微生物がそのまま熱交換器に付着したままとなり、これが新たに微生物を繁殖させるベースとなりやすい問題がある。
【０００６】
そこで、本発明の目的は、上記課題を解決し、空調機の熱交換器に付着する微生物を除去できる空調機の洗浄殺菌装置を提供することにある。
【０００７】
【課題を解決するための手段】
上記目的を達成するために請求項１の発明は、空調機本体内に熱交換器を設け、その空調機本体の吸込側と吹出側のダクトを室内に接続すると共にダクトに循環ファンを接続した空調機の洗浄殺菌装置において、吸込側と吹出側のダクトにダンパを設け、熱交換器に低濃度のオゾン水を噴射するスプレーノズルを設け、その熱交換器の下流側の空調機本体内に、臭センサを設け、循環ファン停止後ダンパが閉じられ、上記臭センサの検出値でスプレーノズルからオゾン水が噴射された後、スプレーノズルからオゾンガスが噴射されて空調機本体がオゾンガス燻蒸されるようにしたものである。
【０００９】
【作用】
上記構成によれば、空調機の運転停止後にスプレーノズルから低濃度のオゾン水を噴射することで、熱交換器に付着した微生物の洗浄殺菌が行える。またその後オゾンガス燻蒸を行うことで、空調機本体内の殺菌が行え、これにより空調機内での微生物の繁殖を防止でき、空調機から室内に微生物が拡散することを防止できる。さらに臭センサで、微生物が出す臭を検知することで、微生物の繁殖状態が分かりオゾン水洗浄を適確に行える。
【００１０】
【実施例】
以下、本発明の一実施例を添付図面に基づいて詳述する。
【００１１】
図１において、１０は空調を行う室内で、その室内１０に空調機１１が接続される。この空調機１１は、空調機本体１２に冷房時に冷水、暖房時に温水が流れるプレートフィン＆チューブからなる熱交換器１３が設けられ、空調機本体１２が吹出側のダクト１４を介して室内１０に接続され、また吸込側のダクト１５が循環ファン１６を介して空調機本体１２に接続されて構成される。
【００１２】
空調機本体１２と吹出側及び吸込側のダクト１４，１５とは整流格子１７が設けられたホッパ１８で接続され、熱交換器１３の下部にはドレン水受皿１９が設けられる。循環ファン１６の上流側の吸込側ダクト１５には、ダクト１５を流れる風量を測定するエアロアイ２０が設けられる。また、吸込側のダクト１５には、外気を導入する外気導入ダクト２１が接続され、そのダクト２１に、ダクト開閉用のダンパ２２が接続され、吹出側のダクト１４には、そのダクト１４内の空気などを大気に放出する排気用ダクト２３とその開閉用のダンパ２４が設けられる。
【００１３】
さて図２、図３に示すように、熱交換器１３の上流側には、熱交換器１３に低濃度のオゾン水を噴射するスプレーノズル２６が設けられる。このスプレーノズル２６は、熱交換器１３の上下方向に多段に配置したスプレー管２７に間隔を置いて多数設けられる。スプレー管２７は、それぞれ電磁弁２８を介してオゾン水供給ライン２９に接続される。オゾン水供給ライン２９は、給水ライン３０とその給水ラインに接続されたエゼクタ３１とエゼクタ３１にオゾンガスを供給するオゾン発生機３２からなっている。
【００１４】
また吹出側のダクト１４には、オゾンガス濃度を検出するオゾン濃度計３３が設けられ、熱交換器１３の前後の空調機本体１２内には、微生物の繁殖を検出する培地３４，３５が設けられる。
【００１５】
次に実施例の作用を説明する。
【００１６】
冷房運転時に、熱交換器１３には冷水が供給され、循環ファン１６により室内１０の空気は、吸込側ダクト１５を介して空調機本体１２に導入され、熱交換器１３を通って冷房され、吹出側ダクト１４を通して室内１０に吹出される。
【００１７】
この冷房運転の停止時は、循環ファン１６が停止され、熱交換器１３への冷水の供給が停止されるが、停止直後は、熱交換器１３に凝縮水が付着した状態となり、空気中のグラム陰性菌など微生物が凝縮水に取り込まれるとそこで繁殖し易くなる。
【００１８】
そこで空調運転の停止後に、オゾン発生機３２を作動すると共に電磁弁２８を開とし、給水ライン３０から水を供給してエゼクタ３１で水とオゾンガスとを混合して低濃度のオゾン水とし、これをスプレーノズル２６から熱交換器１３に噴射する。このように熱交換器１３に０．１ｐｐｍから数ｐｐｍの低濃度のオゾン水を噴射することで、熱交換器１３に付着する微生物を殺菌乃至滅菌できると共にオゾン水のもつ洗浄力でこれらを流下させてドレン受皿１９より排出することができ、停止中に微生物が繁殖することを防止できる。
【００１９】
この場合、オゾン水はその濃度が高くても数ｐｐｍ程度であり、熱交換器１３やドレン受皿１９などを腐蝕することはない。また熱交換器１３はオゾン水で洗浄されるため、熱交換効率の維持が期待できる。
【００２０】
オゾン水をスプレーするにおいて、図３に示したように電磁弁２８を適宜上下に順次開閉することで、スプレー量を調節しながら熱交換器１３にオゾン水を噴射できる。また噴射されたオゾン水からオゾンガスが空調機本体１２内に放出され、これが吹出側ダクト１４を介して室内１０に流入しやすいが、オゾン濃時計３３によりそのオゾンガス濃度を検出し、オゾンガス濃度が高い場合には、排気用ダクト２３の開閉用のダンパ２４を開き、オゾンガスを大気中に排気するようにし、室内１０に流れないようにする。
【００２１】
熱交換器１３の前後に設けた培地３４，３５は、その培地３４，３５に付着した微生物を取り出して顕微鏡などで微生物個数やその種類を観察することで微生物の殺菌効果を確認できる。
【００２２】
図４は本発明の他の実施例を示し、オゾン水洗浄殺菌と共にオゾンガス燻蒸を行えるようにしたものである。
【００２３】
この図４の実施例は、図１〜３に示した実施例と基本的な構成は同じであるが、オゾンガス燻蒸を行う際には、オゾンガスが室内１０に流入するため、吹出側及び吸込側のダクト１４，１５には開閉ダンパ３６，３７を設け、空調運転の停止後、開閉ダンパ３６，３７を閉じ、先ず上述のようにオゾン水洗浄を行った後、給水ライン３０からの給水を停止し、オゾン発生機３２からのオゾンガスを電磁弁２８よりスプレーノズル２６を介して空調機本体１２内に噴射してオゾンガスによる燻蒸を行い、空調機本体１２内の微生物の殺菌を行う。このオゾンガスによる燻蒸の際、空調機本体１２に吹込まれたオゾンガスが所定の濃度にするには、例えばオゾン発生機３２からのオゾンガスを順次スプレーノズル２６より空調機本体１２内に吹込むと共に空調機本体１２内の空気をオゾン分解装置を介して大気に放出し、オゾン濃度計３３で空調機本体１２内のオゾンガス濃度が所定値に達したなら、オゾン発生機３２を停止してそのオゾンガス濃度のまま一定時間（３０分〜数時間）燻蒸を行う。この燻蒸中オゾンは分解し、オゾンガス濃度が基準値以下まで下がったならば開閉ダンパ３６，３７を開いてオゾンガスによる燻蒸を終了する。
【００２４】
図５は、本発明の更に他の実施例を示すもので、熱交換器１３の下流側の空調機本体１２内に、臭センサ４０を設け、その臭センサ４０の検出値をコントローラ４２に入力するようになし、そのコントローラ４２で、オゾン発生機３２や給水ライン３０からの給水を制御するようにしたものである。
【００２５】
この実施例において、臭センサ４０で、微生物、例えばカビ臭等の悪臭を感知し、その臭センサ４０で、ある一定以上の悪臭が検出されたときに、コントローラ４２が、オゾン発生機３２を作動し、給水ライン３０から給水を開始してオゾン水を熱交換器１３に噴射するようにしたものである。
【００２６】
この臭センサ４０に臭の検出は、運転の停止直後でも或いは空調運転の時に常時監視してもいずれでもよく、臭が所定値になったとき、図１で説明したようなオゾン洗浄を行ったり、図４で説明したオゾン燻蒸を行うようにする。またオゾン水洗浄は、臭センサ４０で検出される臭が所定以下となった時にオゾン水供給を停止するようにしてもよい。
【００２７】
通常、微生物数を検出するには、微生物を採集し、これを培養して検査するため、日数がかかるが、微生物から出る臭を臭センサ４０で検出することでリアルタイムに微生物コントロールが行える。
【００２８】
【発明の効果】
以上要するに本発明によれば、空調機の運転停止後にスプレーノズルから低濃度のオゾン水を噴射することで、熱交換器に付着した微生物の洗浄殺菌が行える。またその後オゾンガス燻蒸を行うことで、空調機本体内の殺菌が行え、これにより空調機内での微生物の繁殖を防止でき、空調機から室内に微生物が拡散することを防止できる。さらに臭センサで、微生物が出す臭を検知することで、微生物の繁殖状態が分かりオゾン水洗浄を適確に行える。
【図面の簡単な説明】
【図１】本発明の一実施例を示す全体図である。
【図２】図１の拡大図を示す図である。
【図３】図２の要部の拡大斜視図である。
【図４】本発明の他の実施例を示す図である。
【図５】本発明のさらに他の実施例を示す図である。
【符号の説明】
１０  室内
１２  空調機本体
１３  熱交換器
１４，１５  ダクト
１６  循環ファン
２６  スプレーノズル
３２  オゾン発生機
４０  臭センサ
【図１】
0003822262.tif 000002
【図２】
0003822262.tif 000003
【図３】
0003822262.tif 000004
【図４】
0003822262.tif 000005
【図５】
0003822262.tif 000006